【手続補正書】
【提出日】平成20年6月24日(2008.6.24)
【手続補正１】
【補正対象書類名】明細書
【補正対象項目名】特許請求の範囲
【補正方法】変更
【補正の内容】
【特許請求の範囲】
【請求項１】  インフレータ装置内のガス発生剤材料を点火するために使用される点火材料組成物において、当該点火材料組成物を前記インフレータ装置内の面に付着させるのに効果的なシリコーン樹脂添加物を含む点火材料組成物。
【請求項２】  前記シリコーン樹脂添加物が１質量％ないし１０質量％の範囲のヒドロキシル含有量を有する請求項１に記載の点火材料組成物。
【請求項３】  前記シリコーン樹脂添加物が有機溶媒１００ｍｌ当たり少なくとも１グラムの溶解度を有する請求項１に記載の点火材料組成物。
【請求項４】  前記点火材料組成物が１質量％以上１０質量％以下の前記シリコーン樹脂添加物を含む請求項１に記載の点火材料組成物。
【請求項５】  前記点火材料組成物が前記インフレータ装置内の非ガス発生剤面に付着できる請求項１に記載の点火材料組成物。
【請求項６】  前記点火材料組成物がガラス繊維系の面に付着できる請求項５に記載の点火材料組成物。
【請求項７】  前記点火材料組成物が前記インフレータ装置内に少なくとも部分的に収容されるダンパーパッドに付着できる請求項１に記載の点火材料組成物。
【請求項８】  前記点火材料組成物が前記インフレータ装置内に収容されるコードに付着できる請求項１に記載の点火材料組成物。
【請求項９】  前記点火材料組成物が前記インフレータ装置内のガス発生剤材料面に付着できる請求項１に記載の点火材料組成物。
【請求項１０】  前記シリコーン樹脂添加物が、アルコール、ケトン、エステル、芳香族化合物および塩素化有機化合物から成る溶媒群より選択される有機溶媒１００ｍｌ当たり少なくとも１グラムの溶解度を有する請求項１に記載の点火材料組成物。
【請求項１１】  前記点火材料組成物がＡｌ／Ｍｇ合金を含む燃料成分を含む請求項１に記載の点火材料組成物。
【請求項１２】  前記点火材料組成物が硝酸ストロンチウム、硝酸アルカリ金属およびそれらの組み合わせから成る群より選択される酸化剤を含む請求項１に記載の点火材料組成物。
【請求項１３】  前記点火材料組成物が、
１０質量％以上６０質量％以下のＡｌ／Ｍｇ合金点火燃料と、
硝酸ストロンチウム、硝酸アルカリ金属およびそれらの組み合わせから成る群より選択された３０質量％以上８０質量％以下の点火酸化剤と、
１質量％以上１０質量％以下の前記シリコーン樹脂添加物とを含む、請求項１に記載の点火材料組成物。
【請求項１４】  関連する膨張性装置の膨張用ガスを生成するために反応可能な量のガス発生剤材料を含有し、さらにガス発生剤材料の量の少なくとも一部を点火するために反応可能な量の点火材料を含有するエアバッグインフレータ装置において、前記インフレータ装置内のダンパーパッドを含み、そのダンパーパッド上に点火材料の量の少なくとも一部がコーティングを形成する、エアバッグインフレータ装置。
【請求項１５】  前記点火材料がコーティングを形成する前記ダンパーパッドの少なくとも一部がガラス繊維系の面を含む請求項１４に記載のエアバッグインフレータ装置。
【請求項１６】  前記点火材料が前記ダンパーパッドに当該点火材料を付着させるために効果的なシリコーン樹脂添加物を含む請求項１４に記載のエアバッグインフレータ装置。
【請求項１７】  前記シリコーン樹脂添加物が１質量％ないし１０質量％の範囲のヒドロキシル含有量、および有機溶媒１００ｍｌ当たり少なくとも１グラムの溶解度を有する請求項１６に記載のエアバッグインフレータ装置。
【請求項１８】  前記点火材料が、
１０質量％以上６０質量％以下のＡｌ／Ｍｇ合金点火燃料と、
３０質量％以上８０質量％以下の点火酸化剤と、
１質量％以上１０質量％以下の前記シリコーン樹脂添加物とを含む、請求項１７に記載のエアバッグインフレータ装置。
【請求項１９】  前記シリコーン樹脂添加物が、アルコール、ケトン、エステル、芳香族化合物および塩素化有機化合物から成る溶媒群より選択される有機溶媒１００ｍｌ当たり少なくとも１グラムの溶解度を有する請求項１７に記載のエアバッグインフレータ装置。
【請求項２０】  インフレータ装置内に点火材料を内包させる方法であって、点火燃料、点火酸化剤、および当該点火材料組成物を前記インフレータ装置内の面に付着させるのに効果的なシリコーン樹脂添加物を含む点火材料組成物を適用することを含む方法。
【請求項２１】  前記適用が前記点火材料組成物を前記インフレータ装置の選択された内側の面にスプレーすることを含む請求項２０に記載の方法。
【請求項２２】  前記点火材料組成物が前記インフレータ装置内の非ガス発生剤面に適用される請求項２０に記載の方法。
【請求項２３】  前記点火材料組成物がガラス繊維系の面に適用される請求項２２に記載の方法。
【請求項２４】  前記点火材料組成物がダンパーパッドに適用される請求項２０に記載の方法。
【請求項２５】  前記ダンパーパッドの前記インフレータ装置への配置に先立って、前記点火材料組成物が前記ダンパーパッドに適用される、請求項２４に記載の方法。
【請求項２６】  点火材料組成物がガス発生剤材料面に適用される請求項２０に記載の方法。
【請求項２７】  前記点火材料組成物が１質量％以上１０質量％以下の前記シリコーン樹脂添加物を含み、前記シリコーン樹脂添加物が１質量％ないし１０質量％の範囲のヒドロキシル含有量を有し、またアルコール、ケトン、エステル、芳香族化合物および塩素化有機化合物から成る溶媒の群より選択される有機溶媒１００ｍｌ当たり少なくとも１グラムの溶解度を有する請求項２０に記載の方法。
【請求項２８】  前記点火材料組成物がＡｌ／Ｍｇ合金を含む燃料成分を含む請求項２０に記載の方法。
【請求項２９】  前記点火材料組成物が硝酸ストロンチウム、硝酸アルカリ金属およびそれらの組み合わせから成る群より選択される酸化剤を含む請求項２０に記載の方法。
【請求項３０】  前記点火材料組成物が、
１０質量％以上６０質量％以下のＡｌ／Ｍｇ合金点火燃料と、
硝酸ストロンチウム、硝酸アルカリ金属およびそれらの組み合わせから成る群より選択された３０質量％以上８０質量％以下の点火酸化剤と、
１質量％以上１０質量％以下の前記シリコーン樹脂添加物とを含む、請求項２０に記載の方法。
【請求項３１】  少なくとも一つのダンパーパッドを含有するインフレータ装置内に内包させるための点火材料を提供するための方法であって、点火燃料、点火酸化剤、および当該点火材料組成物をダンパーパッド基材に付着させるために効果的な添加物を含む点火材料組成物で、前記ダンパーパッド基材をコートすることを含む方法。
【請求項３２】  前記点火材料組成物を前記ダンパーパッド基材に付着させるために効果的な添加物が、１質量％ないし１０質量％の範囲のヒドロキシル含有量を有し、またアルコール、ケトン、エステル、芳香族化合物および塩素化有機化合物から成る溶媒群より選択される有機溶媒１００ｍｌ当たり少なくとも１グラムの溶解度を有するシリコーン樹脂材料を含む、請求項３１に記載の方法。
【請求項３３】  前記点火材料が、
１０質量％以上６０質量％以下のＡｌ／Ｍｇ合金点火燃料と、
３０質量％以上８０質量％以下の点火酸化剤と、
１質量％以上１０質量％以下の前記シリコーン樹脂添加物とを含む、請求項３２に記載の方法。
【請求項３４】  前記ダンパーパッド基材が前記点火材料組成物でスプレーされる請求項３１に記載の方法。
【請求項３５】  前記ダンパーパッド基材がガラス繊維系である請求項３１に記載の方法。
【請求項３６】  インフレータアセンブリ内に点火材料を内包させる方法であって、点火燃料、点火酸化剤、および当該点火材料組成物をインフレータアセンブリ内の選択された非ガス発生剤標的面に付着させるのに効果的な添加物を含む点火材料組成物を適用することを含む方法。
【請求項３７】  前記適用が前記点火材料組成物を前記選択された非ガス発生剤標的面にスプレーすることを含む請求項３６に記載の方法。
【請求項３８】  前記非ガス発生剤標的面がインフレータ装置の選択された内側の面である、請求項３６に記載の方法。
【請求項３９】  前記適用が前記点火材料組成物を前記インフレータ装置の選択された内側の面にスプレーすることを含む請求項３８に記載の方法。
【請求項４０】  前記点火材料組成物がガラス繊維系の面に適用される請求項３６に記載の方法。
【請求項４１】  前記点火材料組成物がダンパーパッドに適用される請求項４０に記載の方法。
【請求項４２】  前記ダンパーパッドの前記インフレータ装置への配置に先立って、前記点火材料組成物が前記ダンパーパッドに適用される、請求項４１に記載の方法。
【請求項４３】  前記点火材料組成物を付着させるのに効果的な添加剤がシリコーン樹脂材料を含む請求項３６に記載の方法。
【請求項４４】  前記シリコーン樹脂材料が１質量％以上１０質量％以下の範囲のヒドロキシル量を有する請求項４３に記載の方法。
【請求項４５】  前記シリコーン樹脂材料が、アルコール、ケトン、エステル、芳香族化合物および塩素化有機化合物から成る溶媒群より選択される有機溶媒１００ｍｌ当たり少なくとも１グラムの溶解度を有する請求項４３に記載の方法。
【手続補正２】
【補正対象書類名】明細書
【補正対象項目名】０００９
【補正方法】変更
【補正の内容】
【０００９】
インフレータアセンブリ１０はまた、リテーナ３８、環状のディフューザダンパーバッド４０およびベースダンパーパッド４２で構成されるような、かつ、構成手段として機能するような、リテーナアセンブリ３６を含む。例えば、このようなリテーナアセンブリまたはその特定の構成要素は、インフレータアセンブリ構成要素を互いに適当な相対的配置に保持し、当該アセンブリを通じての望ましくないガス流の通過を阻止するために、および／または、当該アセンブリがある種の振動または他の運動もしくは力を受けた場合に望ましくないガタガタ音または騒音を生じ得るようなアセンブリ１０内のガス発生剤材料の望ましくない接触を最少化または回避するために有用であり所望される。実際には、そのようなダンパーパッド要素は、一般にガラス繊維材料などで構成され、または二次加工されている。